(57)【要約】【課題】サービス提供事業者が音楽コンテンツリストを作成する手間を省くことにより、選曲に柔軟性と多様性のある音楽コンテンツリストをコンテンツ利用者に提供する。【解決手段】サービス提供事業者の管理サーバ６は、コンテンツ提供者により作成された音楽コンテンツリスト４をＩＰ通信網１６上に公開し、コンテンツ利用者の情報通信端末９から音楽コンテンツリスト４の購入要求を受けると、課金処理サーバ７に対して楽曲の購入に対する課金処理を行った後、購入要求を受けた各楽曲のそれぞれの所在情報をコンテンツ利用者の情報通信端末端末９に送信するとともに音楽ＤＢ１４を管理している配信サーバ１３に対して楽曲単位の配信を依頼する。また、音楽コンテンツリスト４を登録してきたコンテンツ提供者の情報通信端末２に対して手数料の支払い処理を行う。【選択図】図１
2005310065.tif 000002
【特許請求の範囲】
【請求項１】
ＩＰ通信網を介して行われる音楽コンテンツ取引を支援するための音楽コンテンツ取引支援サービス方法であって、
コンテンツ提供者の情報通信端末が、当該コンテンツ提供者により作成された音楽コンテンツリストを、音楽コンテンツ取引支援サービスを行っているサービス提供事業者の管理サーバに送信するステップと、
前記サービス提供事業者の管理サーバが、前記コンテンツ提供者の情報通信端末から送られてきた音楽コンテンツリストの登録を受け付けるステップと、
前記サービス提供事業者の管理サーバが、当該音楽コンテンツリストをＩＰ通信網上に公開し、コンテンツ利用者の情報通信端末から公開している音楽コンテンツリストの購入依頼を受け付けると購入依頼を受け付けた音楽コンテンツリストに含まれる各楽曲の所在情報を音楽コンテンツ事業者の音楽データベースから検索し、該検索結果を前記コンテンツ利用者の情報通信端末に送信するステップと、
前記サービス提供事業者の管理サーバが、前記コンテンツ利用者の情報通信端末から楽曲の購入要求を受けると、課金処理サーバに対して楽曲の購入に対する課金処理を行った後、購入要求を受けた各楽曲のそれぞれの所在情報を前記コンテンツ利用者の情報通信端末端末に送信するとともに前記音楽データベースを管理している配信サーバに対して楽曲単位の配信を依頼するステップと、
前記サービス提供事業者の管理サーバからの配信依頼を受けた前記配信サーバが、配信依頼を受けた楽曲のデータを前記コンテンツ利用者の情報通信端末に配信するステップと、
前記コンテンツ利用者の情報通信端末が、前記配信サーバから配信されてきた楽曲のデータをダウンロードするステップと、
前記サービス提供事業者の管理サーバが、前記音楽コンテンツリストを登録してきたコンテンツ提供者の情報通信端末に対して手数料の支払い処理を行うステップと、を備えている音楽コンテンツ取引支援サービス方法。
【請求項２】
前記管理サーバが、前記コンテンツ提供者の情報通信端末から送られてきた音楽コンテンツリストの登録を受け付けた際に、前記課金処理サーバに対して当該音楽コンテンツリストの登録に対する課金処理を行うステップをさらに備えた請求項１記載の音楽コンテンツ取引支援サービス方法。
【請求項３】
ＩＰ通信網を介して行われる音楽コンテンツ取引を支援するための音楽コンテンツ取引支援サービス方法をコンピュータに実行させるためのプログラムであって、
コンテンツ提供者の情報通信端末が、当該コンテンツ提供者により作成された音楽コンテンツリストを、音楽コンテンツ取引支援サービスを行っているサービス提供事業者の管理サーバに送信する処理と、
前記サービス提供事業者の管理サーバが、前記コンテンツ提供者の情報通信端末から送られてきた音楽コンテンツリストの登録を受け付ける処理と、
前記サービス提供事業者の管理サーバが、当該音楽コンテンツリストをＩＰ通信網上に公開し、コンテンツ利用者の情報通信端末から公開している音楽コンテンツリストの購入依頼を受け付けると購入依頼を受け付けた音楽コンテンツリストに含まれる各楽曲の所在情報を音楽コンテンツ事業者の音楽データベースから検索し、該検索結果を前記コンテンツ利用者の情報通信端末に送信する処理と、
前記サービス提供事業者の管理サーバが、前記コンテンツ利用者の情報通信端末から楽曲の購入要求を受けると、課金処理サーバに対して楽曲の購入に対する課金処理を行った後、購入要求を受けた各楽曲のそれぞれの所在情報を前記コンテンツ利用者の情報通信端末端末に送信するとともに前記音楽データベースを管理している配信サーバに対して楽曲単位の配信を依頼する処理と、
前記サービス提供事業者の管理サーバからの配信依頼を受けた前記配信サーバが、配信依頼を受けた楽曲のデータを前記コンテンツ利用者の情報通信端末に配信する処理と、
前記コンテンツ利用者の情報通信端末が、前記配信サーバから配信されてきた楽曲のデータをダウンロードする処理と、
前記サービス提供事業者の管理サーバが、前記音楽コンテンツリストを登録してきたコンテンツ提供者の情報通信端末に対して手数料の支払い処理を行う処理と、をコンピュータに実行させるためのプログラム。
【請求項４】
前記管理サーバが、前記コンテンツ提供者の情報通信端末から送られてきた音楽コンテンツリストの登録を受け付けた際に、前記課金処理サーバに対して当該音楽コンテンツリストの登録に対する課金処理をさらにコンピュータに実行させる請求項３記載のプログラム。
【請求項５】
ＩＰ通信網を介して行われる音楽コンテンツ取引を支援するための音楽コンテンツ取引支援サービス方法をコンピュータに実行させるためのプログラムが記録された記録媒体であって、
コンテンツ提供者の情報通信端末が、当該コンテンツ提供者により作成された音楽コンテンツリストを、音楽コンテンツ取引支援サービスを行っているサービス提供事業者の管理サーバに送信する処理と、
前記サービス提供事業者の管理サーバが、前記コンテンツ提供者の情報通信端末から送られてきた音楽コンテンツリストの登録を受け付ける処理と、
前記サービス提供事業者の管理サーバが、当該音楽コンテンツリストをＩＰ通信網上に公開し、コンテンツ利用者の情報通信端末から公開している音楽コンテンツリストの購入依頼を受け付けると購入依頼を受け付けた音楽コンテンツリストに含まれる各楽曲の所在情報を音楽コンテンツ事業者の音楽データベースから検索し、該検索結果を前記コンテンツ利用者の情報通信端末に送信する処理と、
前記サービス提供事業者の管理サーバが、前記コンテンツ利用者の情報通信端末から楽曲の購入要求を受けると、課金処理サーバに対して楽曲の購入に対する課金処理を行った後、購入要求を受けた各楽曲のそれぞれの所在情報を前記コンテンツ利用者の情報通信端末端末に送信するとともに前記音楽データベースを管理している配信サーバに対して楽曲単位の配信を依頼する処理と、
前記サービス提供事業者の管理サーバからの配信依頼を受けた前記配信サーバが、配信依頼を受けた楽曲のデータを前記コンテンツ利用者の情報通信端末に配信する処理と、
前記コンテンツ利用者の情報通信端末が、前記配信サーバから配信されてきた楽曲のデータをダウンロードする処理と、
前記サービス提供事業者の管理サーバが、前記音楽コンテンツリストを登録してきたコンテンツ提供者の情報通信端末に対して手数料の支払い処理を行う処理と、をコンピュータに実行させるためのプログラムが記録された記録媒体。
【請求項６】
前記管理サーバが、前記コンテンツ提供者の情報通信端末から送られてきた音楽コンテンツリストの登録を受け付けた際に、前記課金処理サーバに対して当該音楽コンテンツリストの登録に対する課金処理をさらにコンピュータに実行させるプログラムが記録された請求項５記載の記録媒体。
【請求項７】
ＩＰ通信網を介して行われる音楽コンテンツ取引を支援するための音楽コンテンツ取引支援サービスを実現するための管理サーバであって、
コンテンツ提供者により作成された音楽コンテンツリストの登録を受け付け、当該音楽コンテンツリストをＩＰ通信網上に公開し、コンテンツ利用者の情報通信端末から公開している音楽コンテンツリストの購入依頼を受け付けると購入依頼を受け付けた音楽コンテンツリストに含まれる各楽曲の所在情報を音楽コンテンツ事業者の音楽データベースから検索し、該検索結果を前記コンテンツ利用者の情報通信端末に送信し、前記コンテンツ利用者の情報通信端末から楽曲の購入要求を受けると、課金処理サーバに対して楽曲の購入に対する課金処理を行った後、購入要求を受けた各楽曲のそれぞれの所在情報を前記コンテンツ利用者の情報通信端末端末に送信するとともに前記音楽データベースを管理している配信サーバに対して楽曲単位の配信を依頼し、前記音楽コンテンツリストを登録してきたコンテンツ提供者の情報通信端末に対して手数料の支払い処理を行う管理サーバ。
【請求項８】
前記コンテンツ提供者の情報通信端末から送られてきた音楽コンテンツリストの登録を受け付けた際に、前記課金処理サーバに対して当該音楽コンテンツリストの登録に対する課金処理を行う請求項７記載の管理サーバ。
【発明の詳細な説明】
【技術分野】
【０００１】
本発明は、ＩＰ（Internet Protocol）通信網を介して行われる音楽コンテンツ取引を支援するための音楽コンテンツ取引支援サービス方法に関する。
【背景技術】
【０００２】
近年、通勤、ドライブ、自宅等の様々な場所で音楽コンテンツを視聴することが行われている。しかし、音楽コンテンツを視聴する場所、そのときの気分等により聞きたい音楽コンテンツは変化する。そのため、従来では、コンテンツ利用者は、コンテンツ利用者の趣味とセンスやそのときの気分や好みによって通勤やドライブなどのテーマ毎に、予め音楽コンテンツを作成しておき、作成した音楽コンテンツリストの中から現在の状況に合ったものを選択して視聴を行うことが行われていた。
【０００３】
このような音楽コンテンツリストを作成するためには、コンテンツ利用者は、音楽コンテンツショップにいってジャンル別やアーティスト別など多くの分類の中から好きな楽曲のＣＤ（Ｃｏｍｐａｃｔ  Ｄｉｓｃ）などを選んで購入し、購入したＣＤ等を持ち帰って音楽コンテンツリストを作成する手間が必要であった。
【０００４】
しかし、近年インターネット網を介して様々なアイテムを購入することができるようなシステムが提案されてている（例えば、特許文献１参照。）。そのため、上記のような音楽コンテンツショップに行く手間を省くことを目的として、ＩＰ通信網上で好みの音楽コンテンツを購入することができるシステムが用いられるようになっている。しかし、このようなシステムを用いることにより、音楽コンテンツ利用者は、ＩＰ通信網上で音楽コンテンツ提供事業者のＷｅｂページにアクセスし、好みの楽曲をジャンル別に選曲し、購入する音楽コンテンツの課金処理を行った後に、情報通信端末及び外部記憶装置にダウンロードして好みの音楽コンテンツを入手することができる。しかし、このようなシステムでは、一般的に、音楽コンテンツはクラシックやジャズ及び歌謡曲或いはポピュラーなどジャンルごとに分かれているため、コンテンツ利用者がジャンルをまたがって音楽コンテンツリストを作成しようとした場合、各ジャンル毎の複数の音楽コンテンツの中のから、ダウンロードしようとする音楽コンテンツをいちいち選択しなければならなかった。
【０００５】
このような手間を解消することを目的として、ユーザの状態に応じたコンテンツリストを表示するようなシステムが、例えば特許文献２に開示されている。この特許文献２に開示されている発明「ユーザの動的状態変化に応じたコンテンツリスト表示システム」では、ユーザがコンテンツに対して評価したデータを集計し、視聴前と視聴後の気分変化に応じた評価を生成し、メタデータとして受信端末に送信する。そして、受信端末は、ユーザにより視聴目の気分を入力してもらい、視聴前の気分でコンテンツを分類し、メタデータに記載された評価値に基づき、希望する視聴後の気分に応じたコンテンツリストを表示するというシステムである。
【０００６】
この従来のシステムによれば、ユーザにより入力された視聴前の気分と希望する視聴後の気分とに応じてコンテンツリストが自動的に作成される。しかし、コンテンツリストの作成には個人の音楽センス等が要求されるため、ソフトウェアにより自動的に作成されるコンテンツリストは画一的なものになりがちであり柔軟性や多様性に欠ける面があることは否めない。いつも同じ入力すれば同じコンテンツリストが作成されることになり、コンテンツ利用者に飽きられてしまうという面がある。
【０００７】
音楽コンテンツの配信を行うサービス提供事業者が、様々な状況に合わせた音楽コンテンツリストを常に作成しておき、このような音楽コンテンツリストの中からコンテンツ利用者に選択してもらうようにすればこのような問題は解決する。しかし、サービス提供事業者が、自ら音楽コンテンツリストを作成して、コンテンツ利用者に提供し続けることは現実的に困難である。また、サービス提供事業者が音楽コンテンツリストを作成したのでは、柔軟性や多様性をもって選曲された音楽コンテンツリストを作成することは困難であり、どうしても画一的なもにになってしまう。
【特許文献１】特開平１１−１６１７１７号公報
【特許文献２】特開２００３−２０９５２３号公報
【発明の開示】
【発明が解決しようとする課題】
【０００８】
上述した従来のシステムでは、選曲に柔軟性と多様性のある音楽コンテンツリストをコンテンツ利用者に提供することができないという問題点があった。
【０００９】
本発明の目的は、サービス提供事業者が音楽コンテンツリストを作成する手間を省くことにより、選曲に柔軟性と多様性のある音楽コンテンツリストをコンテンツ利用者に提供可能な音楽コンテンツ取引支援サービスシステムを提供することである。
【課題を解決するための手段】
【００１０】
上記目的を達成するために、本発明は、ＩＰ通信網を介して行われる音楽コンテンツ取引を支援するための音楽コンテンツ取引支援サービス方法であって、
コンテンツ提供者の情報通信端末が、当該コンテンツ提供者により作成された音楽コンテンツリストを、音楽コンテンツ取引支援サービスを行っているサービス提供事業者の管理サーバに送信するステップと、
前記サービス提供事業者の管理サーバが、前記コンテンツ提供者の情報通信端末から送られてきた音楽コンテンツリストの登録を受け付けるステップと、
前記サービス提供事業者の管理サーバが、当該音楽コンテンツリストをＩＰ通信網上に公開し、コンテンツ利用者の情報通信端末から公開している音楽コンテンツリストの購入依頼を受け付けると購入依頼を受け付けた音楽コンテンツリストに含まれる各楽曲の所在情報を音楽コンテンツ事業者の音楽データベースから検索し、該検索結果を前記コンテンツ利用者の情報通信端末に送信するステップと、
前記サービス提供事業者の管理サーバが、前記コンテンツ利用者の情報通信端末から楽曲の購入要求を受けると、課金処理サーバに対して楽曲の購入に対する課金処理を行った後、購入要求を受けた各楽曲のそれぞれの所在情報を前記コンテンツ利用者の情報通信端末端末に送信するとともに前記音楽データベースを管理している配信サーバに対して楽曲単位の配信を依頼するステップと、
前記サービス提供事業者の管理サーバからの配信依頼を受けた前記配信サーバが、配信依頼を受けた楽曲のデータを前記コンテンツ利用者の情報通信端末に配信するステップと、
前記コンテンツ利用者の情報通信端末が、前記配信サーバから配信されてきた楽曲のデータをダウンロードするステップと、
前記サービス提供事業者の管理サーバが、前記音楽コンテンツリストを登録してきたコンテンツ提供者の情報通信端末に対して手数料の支払い処理を行うステップとを備えている。
【００１１】
また、前記管理サーバが、前記コンテンツ提供者の情報通信端末から送られてきた音楽コンテンツリストの登録を受け付けた際に、前記課金処理サーバに対して当該音楽コンテンツリストの登録に対する課金処理を行うステップをさらに備えるようにしてもよい。
【００１２】
本発明によれば、サービス提供事業者の管理サーバでは、コンテンツ提供者により作成された音楽コンテンツリストをＩＰ通信網上で公開し、コンテンツ利用者が公開されている音楽コンテンツリストを購入すると、サービス提供事業者とともにコンテンツ提供者にも手数料が支払われる。そのため、サービス提供事業者が音楽コンテンツリストを直接作成しなくても、選曲に柔軟性と多様性のある音楽コンテンツリストをコンテンツ利用者に提供することができる。
【発明の効果】
【００１３】
以上説明したように、本発明によれば、サービス提供事業者の管理サーバでは、コンテンツ提供者により作成された音楽コンテンツリストをＩＰ通信網上で公開するようにしているので、サービス提供事業者が音楽コンテンツリストを作成する手間を省き、選曲に柔軟性と多様性のある音楽コンテンツリストをコンテンツ利用者に提供することができるという効果を得ることができる。
【発明を実施するための最良の形態】
【００１４】
次に、本発明の実施の形態について図面を参照して詳細に説明する。図１は本発明の一実施形態の音楽コンテンツ取引支援サービスシステムの構成を示すシステム図である。
【００１５】
本実施形態の音楽コンテンツ取引支援サービスシステムは、サービスの提供を行うサービス提供事業者の管理サーバ６および課金処理サーバ７と、音楽コンテンツリストを作成するコンテンツ提供者の情報通信端末２と、サービスを利用するコンテンツ利用者の情報通信端末９と、音楽コンテンツ事業者の配信サーバ１３、キャッシュサーバ１７、１８と、その他の友人の情報通信端末１２とがＩＰ通信網１６により接続されることにより構成されている。
【００１６】
尚、情報通信端末２、９、１２は、自宅に設置されたパソコン等の固定端末でもよいし、携帯電話等の移動通信端末であってもよい。また、ここでは、説明を簡単にするために、情報通信端末２、９、１２は、それぞれ１つである場合を用いて説明しているが、実際にはそれぞれが複数あり、管理サーバ６との間で情報のやりとりを行っている。
【００１７】
また、音楽コンテンツ事業者の配信サーバ１３には、配信を行うとする複数の楽曲のデータが格納されている音楽ＤＢ（データベース）１４が設けられている。尚、音楽ＤＢ１４が配信サーバ１３の外部に設けられ、配信サーバ１３と音楽ＤＢ１４とが接続されているような形態でもよい。音楽コンテンツ事業者の配信サーバ１３は、サービス提供者５の管理サーバ６からの楽曲検索の依頼に応じ、音楽ＤＢ１４に格納している楽曲のデータを、コンテンツ利用者あるいはコンテンツ提供者の情報通信端末２、９にＩＰ通信網１６、キャッシュサーバ１７、１８を径由して配信する。
【００１８】
管理サーバ６と課金処理サーバ７は、サービス提供事業者により運営されている。課金サーバ７は、コンテンツ提供者およびコンテンツ利用者への課金処理を行うためのサーバ装置である。
【００１９】
コンテンツ提供者の情報通信端末２は、コンテンツ提供者により作成された音楽コンテンツリスト４を、音楽コンテンツ取引支援サービスを行っているサービス提供事業者の管理サーバ６に送信する。
【００２０】
サービス提供事業者の管理サーバ６は、コンテンツ提供者の情報通信端末２から送られてきた音楽コンテンツリスト４の登録を受け付け、課金処理サーバ７に対して音楽コンテンツリスト４の登録に対する課金処理を行う。また、サービス提供事業者の管理サーバ６は、音楽コンテンツリスト４をＩＰ通信網１６上に公開する。さらに、管理サーバ６は、コンテンツ利用者の情報通信端末９から公開している音楽コンテンツリスト４の購入依頼を受け付けると購入依頼を受け付けた音楽コンテンツリスト４に含まれる各楽曲の所在情報を音楽コンテンツ事業者の音楽ＤＢ１４から検索し、この検索結果をコンテンツ利用者の情報通信端末９に送信する。また、管理サーバ６が、コンテンツ利用者の情報通信端末９から楽曲の購入要求を受けると、課金処理サーバ７に対して楽曲の購入に対する課金処理を行った後、購入要求を受けた各楽曲のそれぞれの所在情報をコンテンツ利用者の情報通信端末端末９に送信するとともに音楽ＤＢ１４を管理している配信サーバ１３に対して楽曲単位の配信を依頼する。また、サービス提供事業者の管理サーバ６は、公開していた音楽コンテンツリスト４の購入要求をコンテンツ利用者の情報通信端末９から受けた場合、音楽コンテンツリスト４を登録してきたコンテンツ提供者の情報通信端末２に対して手数料の支払い処理を行う。
【００２１】
また、管理サーバは、コンテンツ利用者の情報通信端末２から楽曲の購入要求を受けた場合に、購入要求を受けた楽曲の著作権処理を行う。
【００２２】
コンテンツ利用者は、情報通信端末９を介して管理サーバ６にアクセスし、複数の音楽コンテンツリスト４を検索し、Ｗｅｂページで購入の楽曲をチェックボックスにチェックして購入ボタンをクリックして購入要求を行う。そして、コンテンツ利用者の情報通信端末９は、課金処理後に音楽コンテンツ事業者の配信サーバ１３から配信されてきた楽曲のデータをダウンロードする。
【００２３】
次に、本発明の一実施形態の音楽コンテンツ取引支援サービスの動作を図２のシーケンスチャートを参照して説明する。
【００２４】
コンテンツ提供者は、購入したＣＤの楽曲或いは所持している楽曲及びアーティスト名などを情報通信端末２のＨＤＤ(Ｈａｒｄ  Ｄｉｓｋ  Ｄｒｉｖｅ)又は光ディスクドライブ等に記録し音楽ＤＢとして保存し、この音楽ＤＢの楽曲の中からコンテンツ提供者の思いやセンスで楽曲構成を編集し、柔軟性のある選曲と多様性のある選曲をテーマにあわせて行うことにより音楽コンテンツリスト４を作成する（ステップ１０１）。
【００２５】
音楽コンテンツリスト４は、例えばテーマ：通勤と、キーワード：励まし、和み、音効と、数曲の曲名とアーティスト名などを順番に記載することにより作成される。コンテンツ提供者は、情報通信端末２からテーマとキーワードと楽曲順など作成した音楽コンテンツリスト４をＷｅｂページでサービス提供事業者の管理サーバ６に登録をする。
【００２６】
すると、管理サーバ６は音楽コンテンツリスト４の登録処理を行い、音楽コンテンツリスト４が登録されたことに対する課金処理を課金処理サーバ６にて行う（ステップ１０２）。ここで、登録に対する課金はあっても無くてもよいが基本的には課金処理を行うものとする。
【００２７】
そして、管理サーバ６は、コンテンツ提供者の情報通信端末２から送られてきた音楽コンテンツリスト４の編集を行う。具体的には、管理サーバ６は、コンテンツ提供者のコンテンツ提供者ＩＤと楽曲ＩＤを音楽コンテンツリスト４に付加し、音楽コンテンツリスト４内の楽曲の演奏時間を計算することにより音楽コンテンツリスト４の編集を行う。また、管理サーバ６は、登録したコンテンツ提供者の音楽コンテンリスト４をＷｅｂ検索機能の登録設定テーブルに登録し、複数の楽曲にリンクとチェックボックスを付加する。
【００２８】
音楽コンテンリスト４に関して楽曲にリンクをはる際に例えば、＜Ａ ＨＲＥＦ＝“管理サーバのＵＲＬ？提供者のＩＤ＋楽曲ＩＤ”＞タイトル/アーティスト＜/Ａ＞とすることで、音楽コンテンリスト４内の楽曲ごとの管理が可能となる。実際は、フォームにつけたイベントハンドラで曲ごとの対応が可能であるチェックボックスを利用する。
【００２９】
次に、管理サーバ６は、登録した結果と編集した音楽コンテンツリスト４を情報通信端末２に配信する（ステップ１０３）。その後、管理サーバ６は作成したＷｅｂ化された音楽コンテンツリスト４をＩＰ通信網１６に一般公開する（ステップ１０４）。このようにＩＰ通信網上１６で公開されることにより、複数のコンテンツ利用者がＷｅｂ検索を行うことにより利用可能となる。ここで、コンテンツ提供者は、コンテンツ利用者が目をひく工夫などの編集を公開されている音楽コンテンツリスト４に対して行うことができるようにしてもよい。
【００３０】
また、管理サーバ６は、登録されたコンテンツ提供者の音楽コンテンツリスト４に対し、音楽コンテンツ事業者の配信サーバ１３に著作権所有者が既に著作権登録済かの確認処理し、音楽コンテンツ事業者の音楽ＤＢ１４から楽曲の所在の検索をする。
【００３１】
コンテンツ利用者は、情報通信端末９を介して管理サーバ６にアクセスし、音楽コンテンツリスト４を検索し、好みの楽曲の購入依頼を行うと（ステップ１０５）、管理サーバ６は音楽ＤＢ１４から依頼の楽曲を検索し（ステップ１０６）、その検索結果をコンテンツ利用者の情報通信端末９に通知する（ステップ１０７）。
【００３２】
コンテンツ利用者は、情報通信端末９或いは携帯電話及びＰＤＡなど移動情報通信端末１０でサービス提供事業者の管理サーバ６のＷｅｂ検索機能にアクセス時のＩＰアドレス或いはクッキー（cookie）情報を付加してアクセスし、音楽コンテンツのテーマとキーワードを入力し、Ｗｅｂ検索機能の登録設定テーブルからＷｅｂページの音楽コンテンツリストを検索する。
【００３３】
ここで、コンテンツ利用者が音楽コンテンツを購入する際のＷｅｂページの一例を図３に示す。この図３では、音楽コンテンリスト４には、例えばテーマ：通勤、キーワード：励まし、和み、音効、楽曲リスト名：１．モーニングソング、２．スィートソング、３．鳥のさえずり、４．川辺のせせらぎ、５．ヒューマニティー等の楽曲名と、曲のアーティスト名等が含まれている。
【００３４】
コンテンツ利用者は、Ｗｅｂページの楽曲リスト内から購入する楽曲をチェックボックスにチェックし、購入ボタン３１をクリックすることにより、自動的に管理サーバ６に配信される。
【００３５】
このようにして管理サーバ６からの検索結果を通知されたコンテンツ利用者の情報通信端末９において楽曲の購入要求が行われると（ステップ１０８）、管理サーバ６はコンテンツ利用者の課金処理を課金処理サーバ７にアクセスし、課金処理サーバ７では課金処理を行う（ステップ１０９）。ここで、課金方式としては、コンテンツ利用者が楽曲の購入ボタンをチェックするカウント回数を管理して課金処理サーバ７にアクセスし、課金処理サーバ７でコンテンツ利用者の課金処理を行う方法を用いる。
【００３６】
そして、管理サーバ６は音楽コンテンツの所在情報をコンテンツ利用者に連絡するとともに（ステップ１０８）、管理サーバ６は音楽コンテンツ事業者の配信サーバ１３にコンテンツ利用者への楽曲の配信を依頼する（ステップ１１０）。この管理サーバ６からの配信依頼を受けた音楽コンテンツ事業者の配信サーバ１３では、配信依頼を受けた楽曲のデータをキャッシュサーバ１８径由して情報通信端末９に配信する(ステップ１１１)。
【００３７】
選択した音楽コンテンツリストに含まれる楽曲のデータをダウンロードしたコンテンツ利用者は、ダウンロードした楽曲のデータをオーディオ装置等により再生することにより、結婚式或いはパーテイ会場などで柔軟性のある音楽を提供することができる。
【００３８】
サービス提供事業者は、管理サーバ６を有し、管理サーバ６は複数のコンテンツ提供者及びコンテンツ利用者の音楽コンテンツリスト４の管理と楽曲管理をしており、収益からコンテンツ提供者には音楽コンテンツリスト４の売り上げ料を支払い、又音楽コンテンツ事業者には楽曲販売料を支払い、コンテンツ利用者は音楽コンテンツリスト４の使用料を支払う課金方式になっており、ＩＰ通信網１６の使用量に応じて音楽コンテンツの流通サービスを促進して収益を上げることができる。
【００３９】
本実施形態によれば、コンテンツ提供者は、サービス提供事業者を利用し、ＩＰ通信網１６に音楽コンテンリスト４を流通させ、音楽コンテンツ取引の促進の支援を図ることにより、その対価としてサービス提供事業者から手数料を受け取り収益をあげることができる。
【００４０】
また、コンテンツ提供者は、音楽コンテンツリストの作成をするために、仲の良い友人、あるいは音楽センスのある知人などが登録した音楽コンテンツリストをサービス提供事業者径由で購入して、自己の音楽コンテンツリスト作成の参考に利用することも可能である。
【００４１】
尚、コンテンツ提供者と、このコンテンツ提供者と仲の良い友人とが、情報通信端末２、１２、キャッシュサーバ１７を経由して、お互いの音楽コンテンツリストを提供することにより、音楽コンテンツリストの交換サービスを実現することも可能である。
【００４２】
音楽コンテンツリスト４の更新をする際に、参考になった友人或いは音楽センスのあるコンテンツ利用者に音楽コンテンツリスト４をサービス提供事業者の管理サーバ６を経由して配信し、音楽コンテンツリスト４の交換サービスが可能である。
【００４３】
さらに、コンテンツ利用者が複数の音楽コンテンツリストを選曲し、音楽コンテンツリスト４を評価することにより、購入の多い順に楽曲の売り上げランキングサービスを可能とすることができる。
【００４４】
音楽コンテンツ事業者にとっては、管理サーバ６からの情報で複数のコンテンツ利用者の音楽コンテンツリスト４の人気ランキング情報により、人気ある楽曲を多く提供し、音楽コンテンツ動向をリアルタイムに把握することが可能であり、音楽コンテンツの販売向上を図ることが出来る。Ｗｅｂ音楽コンテンツ配信が増えることで事業経費を少なくして事業参加が出来る事と、コンテンツ著作権の増加で収益を上げることができる。
【００４５】
本実施形態の音楽コンテンツ取引支援サービス方法によれば、音楽コンテンツ提供者或いはコンテンツ利用者の音楽選曲センスを利用することにより、音楽コンテンツリストの作成や楽曲のジャンル分けに迅速性と多様性を持たせることができる。また、ＩＰ通信網１６上で音楽コンテンツリストを公開することにより、サービス提供事業者の管理サーバ６は、Ｗｅｂ音楽コンテンツを直接購入に貢献したコンテンツ提供者及びコンテンツ利用者を特定することが可能であり、コンテンツ購入したコンテンツ提供者及びコンテンツ利用者のＷｅｂページの購入登録チェックをカウントすることでカウント回数による新しい課金方式が実現できる。さらに、サービス提供事業者或いは音楽コンテンツ事業者は、複数のコンテンツ利用者の音楽コンテンツの集計から人気の高い音楽コンテンツリストを作成し、著作権に対応して販売することにより、収益を上げることができる。
【００４６】
本実施形態では、音楽コンテンツ事業者の配信サーバ１３から楽曲のデータを配信する際に、キャッシュサーバ１７、１８を用いた場合を用いて説明したが、本発明はこれに限定されるものではなく、キャッシュサーバ１７、１８を用いることなく直接楽曲のデータを配信する場合でも同様に本発明を適用することができるものである。
【００４７】
また、図には示されていないが、本実施形態におけるサービス提供者事業者の管理サーバ６は、上記で説明した音楽コンテンツ取引支援サービス方法を実行するためのプログラムを記録した記録媒体を備えている。この記録媒体は磁気ディスク、半導体メモリまたはその他の記録媒体であってもよい。このプログラムは、記録媒体から管理サーバ６に読み込まれ、管理サーバ６の動作を制御する。具体的には、管理サーバ６内のＣＰＵがこのプログラムの制御により管理サーバ６のハードウェア資源に特定の処理を行うように指示することにより上記の処理が実現される。
【図面の簡単な説明】
【００４８】
【図１】本発明の一実施形態の音楽コンテンツ取引支援サービスシステムの構成を示        す図である。
【図２】本発明の一実施形態の音楽コンテンツ取引支援サービスの動作を示すシーケ        ンスチャートである。
【図３】コンテンツ利用者が音楽コンテンツを購入する際のＷｅｂページの一例を示        す図である。
【符号の説明】
【００４９】
２    情報通信端末（コンテンツ提供者）
４    音楽コンテンツリスト
６    管理サーバ（サービス提供事業者）
７    課金処理サーバ（サービス提供事業者）
９    情報通信端末（コンテンツ利用者）
１２    情報通信端末（友人）
１３    配信サーバ（音楽コンテンツ事業者）
１４    音楽ＤＢ
１６    ＩＰ通信網
１７、１８    キャッシュサーバ
３１    購入ボタン
１０１〜１１３    ステップ
【図１】
2005310065.tif 000003
【図２】
2005310065.tif 000004
【図３】
2005310065.tif 000005